(57)【要約】【課題】  ＰＷＭ調光したときにも外面電極放電ランプ１３をちらつきなく発光させる。【解決手段】  トランスＴ１の２次巻線側からの高周波数矩形ランプ電流を通電されて点灯する外面電極放電ランプ１３と、トランスの１次巻線側と並列に接続された中点バイアス作成用の第１、第２のコンデンサＣ１，Ｃ２と、トランスの１次巻線に電流を流すための第１、第２のスイッチング素子Ｓ１，Ｓ２と、該スイッチング素子夫々に駆動信号を印加する制御回路１６とを備えた放電ランプ点灯回路において、オフ期間からオン期間に切り替わる点灯開始１サイクル目に２サイクル目以降の２／５以下の電圧をトランスＴ１の１次巻線側に印加することでランプ電流ＩＬを低く抑え、低調光率域でもちらつきのない安定点灯を可能にする。【選択図】      図１
2005353366.tif 000002
【特許請求の範囲】
【請求項１】
２次巻線側に高周波矩形波ランプ電流を生起するトランスと、
前記トランスの１次巻線と並列に接続された中点バイアス作成用の第１、第２のコンデンサと、
前記トランスの１次巻線に電流を流すための第１、第２のスイッチング素子と、
前記第１、第２のスイッチング素子夫々に、交互にスイッチングさせる駆動信号を印加する制御回路と、
前記第１、第２のコンデンサの中点とグランドとの間に設けられた放電手段とを備え、
前記制御回路は、前記第１、第２のスイッチング素子の動作前に前記放電手段によって前記第１、第２のコンデンサを放電させ、１サイクル目のランプ電流を２サイクル目以降のランプ電流の２／５以下にすることを特徴とする放電ランプ点灯回路。
【請求項２】
前記放電手段は、前記第１、第２のコンデンサの中点とグランドとの間に第３のスイッチング素子と放電抵抗を直列に設けたものであり、
前記制御回路は、前記第１、第２のスイッチング素子の動作前に前記第３のスイッチング素子を投入することによって、１サイクル目のランプ電流を２サイクル目以降のランプ電流の２／５以下にすることを特徴とする請求項１に記載の放電ランプ点灯回路。
【請求項３】
２次巻線側に高周波矩形波ランプ電流を生起するトランスと、
前記トランスの１次巻線と並列に接続された中点バイアス作成用の第１、第２のコンデンサと、
前記トランスの１次巻線に電流を流すための第１、第２のスイッチング素子と、
前記第１、第２のスイッチング素子夫々に、交互にスイッチングさせる駆動信号を印加する制御回路と、
直流電源と前記第１、第２のコンデンサの中点との間に設けられた充電手段と、
前記第１、第２のコンデンサの中点とグランドとの間に設けられた放電手段と、
当該放電ランプ点灯回路に供給される入力電圧の高低を判定する入力電圧判定回路とを備え、
前記制御回路は、前記入力電圧判定回路が入力電圧が高過ぎると判定しているときには、前記第１、第２のスイッチング素子の動作前に前記放電手段によって前記第１、第２のコンデンサを放電させて１サイクル目のランプ電流を低くし、前記入力電圧判定回路が入力電圧が低過ぎると判定しているときには、前記第１、第２のスイッチング素子の動作前に前記充電手段によって前記第１、第２のコンデンサを充電させて１サイクル目のランプ電流を高くすることを特徴とする放電ランプ点灯回路。
【請求項４】
前記制御回路は、ランプの調光率が中〜低域で点灯する際に前記１サイクル目のランプ電流の高低を制御することを特徴とする請求項３に記載の放電ランプ点灯回路。
【発明の詳細な説明】
【技術分野】
【０００１】
本発明は、パーソナルコンピュータやナビゲーションシステムなどに使用される液晶表示装置のバックライト光源に適する外面電極放電ランプを点灯させるための放電ランプ点灯回路に関する。
【背景技術】
【０００２】
従来、パーソナルコンピュータやナビゲーションシステム等に使用される液晶表示装置のバックライト光源として用いる外面電極放電ランプとして図８、図９に示す構造のものが知られている。図８は外面電極放電ランプの側面図であり、図９は断面図である。１は、内壁に蛍光体２が設けられたガラス管であり、近年、水銀レスの要望から、ガラス管１の内部には、キセノンのような希ガスを放電媒体として封入している。ガラス管１の少なくとも一端には、導入線３を介して内部電極４が封着されている。ガラス管１の外壁には、管軸方向に沿って線状導電材が螺旋状に外部電極５として巻装されている。この外部電極５は透光性熱収縮チューブ６で被覆されることでガラス管１表面に固定され、位置ずれしないようにされている。
【０００３】
このような構造の外面電極放電ランプは、その内部電極４を導入線３を介して電圧供給線８に接続し、また外部電極５を固定用金属棒７を介して電圧供給線８’に接続し、電源（インバーター）９によって高周波の矩形波電圧をこれらの内部電極４と外部電極５との間に印加すると放電を開始し、放電媒体である希ガスから紫外線を放出する。この紫外線は蛍光体２によって可視光に変換され、可視光がガラス管１から外部に放射され、光源として利用される。
【０００４】
上述の外面電極放電ランプを点灯させるには、電源９にて高周波矩形波電圧を印加するのが最適である。図１０、図１１に従来の放電ランプ点灯回路を、図１２にそのタイミングチャートを示している。従来の放電ランプ点灯回路は、トランスＴ１の１次側には電源Ｖｃｃと、制御回路１０と、第１、第２のコンデンサＣ１，Ｃ２と、第１、第２の抵抗成分を有する素子Ｚ１，Ｚ２及び第１、第２のスイッチング素子Ｓ１，Ｓ２を備え、トランスＴ１の２次側には上述の外面電極放電ランプ１３を負荷として備えて構成されている。つまり、電源Ｖｃｃには第１のコンデンサＣ１と第２のコンデンサＣ２が直列に接続されており、第２のコンデンサＣ２の第１のコンデンサＣ１と接続されていない側は接地されている。また、電源Ｖｃｃには第１のスイッチング素子Ｓ１が接続されると共に、第１、第２のスイッチング素子Ｓ１，Ｓ２は第１、第２の抵抗成分を有する素子Ｚ１，Ｚ２を介して直列に接続されている。第２のスイッチング素子Ｓ２の第２の抵抗成分を有する素子Ｚ２と接続されていない側は接地されている。第１のコンデンサＣ１と第２のコンデンサＣ２との接続点にはトランスＴ１の１次巻線の一方の端子が接続され、第１の抵抗成分を有する素子Ｚ１と第２の抵抗成分を有する素子Ｚ２との接続点にはトランスＴ１の１次巻線の他方の端子が接続されている。
【０００５】
制御回路１０は電源電圧Ｖｃｃを矩形波直流電圧に整形して２つの矩形波信号を生成し、この２つの矩形波信号を駆動信号（１）１１、駆動信号（２）１２に割り当てて出力し、駆動信号（１）１１が第１のスイッチング素子Ｓ１を動作させ、駆動信号（２）１２が第２のスイッチング素子Ｓ２を動作させる。ここで、図１０は駆動信号（２）１２により第２のスイッチング素子Ｓ２が動作している状態を示し、図１１では駆動信号（１）１１により第１のスイッチング素子Ｓ１が動作している状態を示している。
【０００６】
図１２の従来回路のタイミングチャートに示すように、第１、第２のスイッチング素子Ｓ１，Ｓ２を交互にオン、オフすることで、トランスＴ１の１次巻線の電圧が矩形波に整形され、その２次巻線には高周波矩形波電流が生起される。この高周波矩形波電流は放電ランプ１３に正負のランプ電流として供給され、放電ランプ１３に矩形波電圧が継続的に印加され、出力効率の高い点灯が実現できる。なお、図１３にはスイッチング素子Ｓ１，Ｓ２側のトランスＴ１の１次巻線側の電圧、及びランプ電流の実波形が示してある。
【０００７】
とろこが、従来の放電ランプ点灯回路では、ＰＷＭ調光した時の点灯オフ期間からオン期間へ切り替わる最初の１サイクル目でランプ電圧が高すぎるとランプ電流が大きくなり、図１３に示すように高圧電極側のランプ光が収縮するため放電が安定せずちらつき易く、そのために、特に１０％以下の低い調光率では安定した点灯が得られない問題点があった。
【０００８】
また、希ガス外面電極放電ランプは、水銀入り放電ランプと比較してランプに流れる電流がランプに印過される電圧に対して極めて依存性が高いため、従来の放電ランプ点灯回路では、入力される入力電圧のバラツキや封入ガス圧、ガスの種類などに起因するランプの特性が原因となり、ランプ電圧が高すぎるとランプ電流が著しく大きくなって高圧電極側のランプ光が収縮することでガラス管の高圧側の根元がちらつき、逆にランプ電圧が低すぎるとランプ電流が極めて小さくなることでランプ光がガラス管の末端まで十分に届かずにガラス管の末端部分がちらつくという問題点があり、特に調光率が中〜低域（概ね２５％以下）では安定した点灯が得られない問題点があった。
【特許文献１】特開２００２−２８９３９０号公報
【発明の開示】
【発明が解決しようとする課題】
【０００９】
本発明は、上記従来の技術的課題に鑑みてなされたもので、希ガス外面電極放電ランプを低い調光率でもちらつきなく、安定して点灯させることができる放電ランプ点灯回路を提供することを目的とする。
【課題を解決するための手段】
【００１０】
請求項１の発明の放電ランプ点灯回路は、２次巻線側に高周波矩形波ランプ電流を生起するトランスと、前記トランスの１次巻線と並列に接続された中点バイアス作成用の第１、第２のコンデンサと、前記トランスの１次巻線に電流を流すための第１、第２のスイッチング素子と、前記第１、第２のスイッチング素子夫々に、交互にスイッチングさせる駆動信号を印加する制御回路と、前記第１、第２のコンデンサの中点とグランドとの間に設けられた放電手段とを備え、前記制御回路は、前記第１、第２のスイッチング素子の動作前に前記放電手段によって前記第１、第２のコンデンサを放電させ、１サイクル目のランプ電流を２サイクル目以降のランプ電流の２／５以下にすることを特徴とするものである。
【００１１】
請求項２の発明は、請求項１の放電ランプ点灯回路において、前記放電手段は、前記第１、第２のコンデンサの中点とグランドとの間に第３のスイッチング素子と放電抵抗を直列に設けたものであり、前記制御回路は、前記第１、第２のスイッチング素子の動作前に前記第３のスイッチング素子を投入することによって、１サイクル目のランプ電流を２サイクル目以降のランプ電流の２／５以下にすることを特徴とするものである。
【００１２】
請求項３の発明の放電ランプ点灯回路は、２次巻線側に高周波矩形波ランプ電流を生起するトランスと、前記トランスの１次巻線と並列に接続された中点バイアス作成用の第１、第２のコンデンサと、前記トランスの１次巻線に電流を流すための第１、第２のスイッチング素子と、前記第１、第２のスイッチング素子夫々に、交互にスイッチングさせる駆動信号を印加する制御回路と、直流電源と前記第１、第２のコンデンサの中点との間に設けられた充電手段と、前記第１、第２のコンデンサの中点とグランドとの間に設けられた放電手段と、当該放電ランプ点灯回路に供給される入力電圧の高低を判定する入力電圧判定回路とを備え、前記制御回路は、前記入力電圧判定回路が入力電圧が高過ぎると判定しているときには、前記第１、第２のスイッチング素子の動作前に前記放電手段によって前記第１、第２のコンデンサを放電させて１サイクル目のランプ電流を低くし、前記入力電圧判定回路が入力電圧が低過ぎると判定しているときには、前記第１、第２のスイッチング素子の動作前に前記充電手段によって前記第１、第２のコンデンサを充電させて１サイクル目のランプ電流を高くすることを特徴とするものである。
【００１３】
請求項４の発明は、請求項３の放電ランプ点灯回路において、前記制御回路は、ランプの調光率が中〜低域で点灯する際に前記１サイクル目のランプ電流の高低を制御することを特徴とするものである。
【発明の効果】
【００１４】
本発明によれば、１サイクル目のランプ電流がちらつきや明るさに影響するような低調光率の範囲でも、１サイクル目のランプ電流を必要以上に供給することがないので、水銀入りランプと比較してランプに流れる電流がランプに印加される電圧に極めて依存性が高い希ガス外面電極放電ランプを使用した場合でも、ちらつきなく安定して点灯することができる。
【発明を実施するための最良の形態】
【００１５】
以下、本発明の実施の形態を図に基づいて詳説する。
【００１６】
（第１の実施の形態）図１は本発明の第１の実施の形態の放電ランプ点灯回路の回路図である。本実施の形態の放電ランプ点灯回路は、ランプ駆動用トランスＴ１の１次巻線において、中点バイアス用コンデンサＣ１，Ｃ２と接続された側の一端、若しくは他方のコイル、ダイオード、抵抗、抵抗成分を持った素子、若しくはそれらを組みわせた素子群Ｚ１，Ｚ２側の一端へ、半導体スイッチング素子Ｓ１，Ｓ２からの矩形波電圧が供給される以前に予めランプの特性に応じた最適な放電電流をコンデンサＣ１，Ｃ２から放電しておき、トランスの１次巻線側の初期電圧を低くすることを特徴としている。すなわち、初期電圧を低くすることによって半導体スイッチング素子Ｓ１，Ｓ２に必要以上の電圧振幅を供給しないことで、ランプ光が収縮するレベルの１サイクル目のランプ電流の過剰な供給を防ぎ、低調光率域でも安定したランプ点灯状態を可能にしたものである。
【００１７】
本実施の形態の放電ランプ点灯回路は、２次巻線側に高周波矩形波ランプ電流ＩＬを生起するトランスＴ１と、このトランスＴ１の１次巻線と並列に接続された中点バイアス作成用の第１、第２のコンデンサＣ１，Ｃ２と、トランスＴ１の１次巻線に電流を流すための第１、第２の半導体スイッチング素子Ｓ１，Ｓ２と、これらの第１、第２の半導体スイッチング素子Ｓ１，Ｓ２夫々に、交互にスイッチングさせる駆動信号（１）１１、駆動信号（２）１２を印加する制御回路１６と、第１、第２のコンデンサＣ１，Ｃ２の中点とグランドとの間に設けられたコンデンサ電流放電回路２０とを備えている。そして制御回路１６は、第１、第２の半導体スイッチング素子Ｓ１，Ｓ２の動作前にコンデンサ電流放電回路２０によって第１、第２のコンデンサＣ１，Ｃ２を放電させ、１サイクル目のランプ電流を２サイクル目以降のランプ電流の２／５以下にする。
【００１８】
コンデンサ電流放電回路２０には、図２に示すように、放電抵抗Ｒ１とスイッチングトランジスタＱ１で構成され、制御回路１６からコンデンサ放電信号１７によってスイッチングトランジスタＱ１を導通させることでコンデンサＣ１，Ｃ２の電荷を放電抵抗Ｒ１を通じてグランドに放電させ、かつこの放電抵抗Ｒ１に抵抗値によってコンデンサＣ１，Ｃ２の中点に２／５Ｖｃｃ以下の電圧に保持するようにしている。
【００１９】
次に、上記構成の第１の実施の形態の放電ランプ点灯回路の動作について説明する。第１、第２の半導体スイッチング素子Ｓ２，Ｓ１が交互にオンオフして、正、負１組のランプ電流が流れた場合を０．５％調光の１周期と仮定して説明する。すなわち、全灯の１００％調光の場合は、正、負２００組のランプ電流が流れて１周期となる。図１に示すように、第１、第２の半導体スイッチング素子Ｓ１，Ｓ２から矩形波電圧が供給される以前に、制御回路１６から出力されるコンデンサ放電信号１７によって半導体スイッチング素子Ｓ３（図２におけるスイッチングトランジスタＱ１）が導通する。
【００２０】
これによって、図３のタイミングチャートに示すように、ある周期の始まりにおいて放電電流Ｉ１が放電期間ｔ１中、コンデンサＣ１，Ｃ２から放電電流が放出され、トランスＴ１の１次巻線電圧が２／５Ｖｃｃ以下まで降下する。これが次の周期の駆動信号（１）１１の１サイクル目の初期電圧となり、半導体スイッチング素子Ｓ１，Ｓ２に必要以上の電圧振幅が供給されないことで、ランプ光が収縮するレベルの１サイクル目のランプ電流の過剰な供給を改善できる。図４は本実施の形態の回路の１．５％調光時の実波形であり、図５は拡大図である。これにより、本実施の形態の放電ランプ点灯回路では、低調光時でも安定したランプ光を提供できることが確認できた。
【００２１】
（第２の実施の形態）図６は、本発明の第２の実施の形態の放電ランプ点灯回路の回路図を示している。本実施の形態の放電ランプ点灯回路は、２個のトランスＴ２，Ｔ３により外面電極放電ランプ（１）１４、外面電極放電ランプ（２）１５それぞれを点灯駆動するものであり、各トランスＴ２，Ｔ３に対してダイオードＤ１，Ｄ２と放電抵抗Ｒ２，Ｒ３とを直列接続し、これらを共通のコンデンサ放電用のスイッチングトランジスタＱ１にてグランドに接地してコンデンサ電流放電回路２１を構成している。スイッチングトランジスタＱ１は第１の実施の形態と同様に制御回路１６のコンデンサ放電信号１７にて各周期の初期に一定の放電時間ｔ１の間導通し、各コンデンサの電荷を放電させて１サイクル目のトランス１次電圧ＶＴ２，ＶＴ３を２／５Ｖｃｃ以下にする。なお、トランスが３個以上の場合にも、ダイオードと充電抵抗をトランスの数だけ増やすことで同様に対応可能である。
【００２２】
ここで、上記各実施の形態では、外面電極放電ランプ１３〜１５それぞれの特性に応じて放電抵抗Ｒ１〜Ｒ３を最適値にすることで、半導体スイッチング素子Ｓ１，Ｓ２の電圧振幅を自由に最適化することが可能である。さらに、短時間で中点コンデンサＣ１，Ｃ２を放電した場合、トランスＴ１〜Ｔ３の２次巻線に接続されたランプ１３〜１５の印加電圧が変動して、ちらつきなどの不安定な点灯を誘発する可能性があるため、ｔ１＞＞（トランス１次巻線電圧の立ち上り時間）となるように放電時間ｔ１を長く設定して可能な限りゆっくり放電するようにすれば、ちらつきのない安定した点灯が可能となる。
【００２３】
（第３の実施の形態）図７は本発明の第３の実施の形態の放電ランプ点灯回路の回路図である。第３の実施の形態は、第１、第２の半導体スイッチング素子Ｓ１，Ｓ２からの矩形波電圧が供給される以前に、当該点灯回路に供給される入力電圧Ｖｃｃの高低又はランプに流れるランプ電流の高低を判定する判定回路１８を内包する制御回路１６から出力される初期電圧補正用スイッチング信号２４によって電圧補正用半導体スイッチング素子Ｓ３又はＳ４を最適にオンすることで充電電流Ｉ２を充電期間ｔ２中、第１、第２のコンデンサＣ１，Ｃ２群へ流入させ、あるいは放電電流Ｉ１を放電期間ｔ１中、第１、第２のコンデンサＣ１，Ｃ２から放出させることを特徴としている。
【００２４】
この第３の実施の形態の放電ランプ点灯回路は、２次巻線側に高周波矩形波ランプ電流ＩＬを生起するトランスＴ１と、このトランスＴ１の１次巻線と並列に接続された中点バイアス作成用の第１、第２のコンデンサＣ１，Ｃ２と、トランスＴ１の１次巻線に電流を流すための第１、第２のスイッチング素子Ｓ１，Ｓ２と、これら第１、第２のスイッチング素子Ｓ１，Ｓ２夫々に交互にスイッチングさせる駆動信号（１）１１、駆動信号（２）１２を印加する制御回路１６と、直流電源Ｖｃｃと第１、第２のコンデンサＣ１，Ｃ２の中点との間に設けられた充電回路３１と、第１、第２のコンデンサＣ１，Ｃ２の中点とグランドとの間に設けられた放電回路３２と、当該放電ランプ点灯回路に供給される入力電圧Ｖｃｃの高低を判定する入力電圧判定回路１８とを備えている。
【００２５】
次に、上記構成の放電ランプ点灯回路の動作を説明する。従来回路と同様に、制御回路１６が第１、第２のスイッチング素子Ｓ１，Ｓ２を交互にオン、オフすることでトランスＴ１の１次巻線の電圧が矩形波に整形し、その２次巻線に高周波矩形波電流が生起させ、この高周波矩形波電流を放電ランプ１３に正負のランプ電流として供給し、放電ランプ１３を点灯する。
【００２６】
そして制御回路１６は、点灯回路に供給される入力電圧Ｖｃｃの高低又は放電ランプ１３に流れるランプ電流ＩＬの高低を判定回路１８にて判定して、半導体スイッチング素子Ｓ１，Ｓ２からの矩形波電圧が供給される以前に、入力電圧Ｖｃｃが高い場合若しくはランプ電流ＩＬが大きい場合には放電回路３２のスイッチング素子Ｓ４をオンさせ、放電ランプ１３の特性に応じた適切な放電電流Ｉ１を予め中点バイアス用コンデンサＣ１，Ｃ２から放電することで、トランスＴ１の１次巻線側の初期電圧を放電ランプ１３の点灯に最適な電圧まで下げて半導体スイッチング素子の電圧振幅を上述のように２サイクル目以降の２／５Ｖｃｃ以下にする。
【００２７】
制御回路１６は逆に、判定回路１８が点灯回路に供給される入力電圧Ｖｃｃが低い若しくはランプ電流ＩＬが小さいと判定した場合には、充電回路３１のスイッチング素子Ｓ３をオンさせて放電ランプ１３の特性に応じた適切な充電電流Ｉ２を予め中点バイアス用コンデンサＣ１，Ｃ２へ充電することで、トランスＴ１の１次巻線側の初期電圧をランプの点灯に最適な電圧まで上げて半導体スイッチング素子Ｓ１，Ｓ２の電圧振幅を２サイクル目以降の３／５Ｖｃｃ以上にする。
【００２８】
本実施の形態により、希ガス外面電極放電ランプ１３は中〜低域の調光率時でもちらつきのない安定な点灯が可能となる。
【００２９】
なお、点灯回路に供給される入力電圧が低い場合若しくはランプ電流が低い場合でも、放電ランプ１３の特性に応じた適切な充電電流Ｉ２の効果で概ね３／５ＶｃｃまでトランスＴ１の１次電圧が上昇し、次の周期の駆動信号（１）の１サイクル目の初期電圧となり、半導体スイッチング素子Ｓ１，Ｓ２に十分な電圧振幅が供給されることで、ランプ光がガラス管の末端まで届くレベルの１サイクル目のランプ電流の供給が可能となる。
【００３０】
また、短時間で中点コンデンサＣ１，Ｃ２を充放電した場合、トランスＴ１の２次巻線に接続された外面電極放電ランプ１３の印加電圧が変動して、ちらつきなどの不安定な点灯を誘発する可能性があるため、充放電時間ｔ２，ｔ１を長く設定し、可能な限りゆっくり充放電すれば、ちらつきのない安定した点灯が可能となる。
【００３１】
さらに、点灯回路に供給される入力電圧の高低を判定し、その判定結果を表す信号を電源回路へ帰還することで電源回路の出力電圧を補正してランプ電流の変動を低減することが可能となる。例えば、電源回路から供給される入力電圧が２０．０［Ｖ］で設計されているにもかかわらず、部品バラツキなどが原因で入力電圧が２１．０［Ｖ］になっている場合は、電圧が高過ぎるということで電源回路へＨ信号を帰還することで、電源回路は前記信号に応じて電圧を例えば０．５［Ｖ］強制的に下げる構成にすることで電源電圧の補正も可能となる。また逆に、１９．０［Ｖ］の場合は電圧が低過ぎるということで電源回路へＬ信号を帰還することで、電源回路は前記信号に応じて電圧を例えば０．５［Ｖ］強制的に上げる構成にすることで電源電圧の補正も可能となる。
【００３２】
加えて、本実施の形態の点灯回路の構成と違って、トランスＴ１〜ランプ１３間の結線が逆極性に接続された回路構成では、上記とは大小が逆の初期電圧にすることはいうまでもない。
【図面の簡単な説明】
【００３３】
【図１】本発明の第１の実施の形態の放電ランプ点灯回路の回路図。
【図２】上記実施の形態におけるコンデンサ放電回路を詳しく示した回路図。
【図３】上記実施の形態における各部の信号波形のタイミングチャート。
【図４】上記実施の形態における１．５％調光時のトランス１次巻線電圧、ランプ電流の実波形のグラフ。
【図５】上記トランス１次巻線電圧、ランプ電流の実波形の拡大図。
【図６】本発明の第２の実施の形態におけるコンデンサ放電回路の回路図。
【図７】本発明の第３の実施の形態の放電ランプ点灯回路の回路図。
【図８】一般的な外面電極放電ランプの正面図。
【図９】上記外面電極放電ランプの断面図。
【図１０】従来例の放電ランプ点灯回路において、第１のスイッチング素子がオフ、第２のスイッチング素子がオンした状態での電流の流れを示す回路図。
【図１１】従来例の放電ランプ点灯回路において、第１のスイッチング素子がオン、第２のスイッチング素子がオフした状態での電流の流れを示す回路図。
【図１２】従来例回路のタイミングチャート。
【図１３】従来例回路の１．５％調光時のトランス１次巻線電圧、ランプ電流の実波形のグラフ。
【符号の説明】
【００３４】
１０，１９  制御回路１
１１  駆動信号（１）
１２  駆動信号（２）
１３〜１５  外面電極放電ランプ
１６  制御回路
１７  コンデンサ放電信号
１８  判定回路
２１  入力電圧検出信号
２３  ランプ電流検出信号
２４  初期電圧補正用スイッチング信号
Ｔ１，Ｔ２，Ｔ３  トランス
Ｓ１，Ｓ２，Ｓ３，Ｓ４  スイッチング素子
Ｚ１，Ｚ２  抵抗、インダクタ、ダイオード、若しくはそれらの組み合わせた素子
Ｃ１，Ｃ２  コンデンサ
Ｉ１  放電電流
Ｉ２  充電電流
ＩＬ  ランプ電流
ＶＴ１  トランス１次側電圧
Ｑ１，Ｑ２  トランジスタ
Ｄ１，Ｄ２  ダイオード
Ｒ１，Ｒ２，Ｒ３  放電抵抗
【図１】
2005353366.tif 000003
【図２】
2005353366.tif 000004
【図３】
2005353366.tif 000005
【図４】
2005353366.tif 000006
【図５】
2005353366.tif 000007
【図６】
2005353366.tif 000008
【図７】
2005353366.tif 000009
【図８】
2005353366.tif 000010
【図９】
2005353366.tif 000011
【図１０】
2005353366.tif 000012
【図１１】
2005353366.tif 000013
【図１２】
2005353366.tif 000014
【図１３】
2005353366.tif 000015